(57)【要約】【課題】スピーカが出力した低音域の音声を良好に再生できる電子機器を提供する。【解決手段】一つの実施の形態に係る電子機器は、スピーカと、整合部とを備える。前記スピーカは、音声を出力する出力部と、前記出力部を露出させる開口部と、を有する。前記整合部は、前記開口部を塞ぐとともに、前記出力部を部分的に露出させるスリットを有する。【選択図】    図２
2014035640.tif 000002
【特許請求の範囲】
【請求項１】
音声を出力する出力部と、前記出力部を露出させる開口部と、を有するスピーカと、
前記開口部を塞ぐとともに、前記出力部を部分的に露出させるスリットを有した整合部と、
を具備した電子機器。
【請求項２】
前記スリットが、互いに平行に延びた一対の側縁を有した請求項１に記載の電子機器。
【請求項３】
前記スピーカを収容し、前記整合部が設けられた筐体をさらに具備した請求項１または２に記載の電子機器。
【請求項４】
前記整合部が前記スリットに接続されたホーン部を有した請求項１または３に記載の電子機器。
【請求項５】
前記出力部は、ただ一つの前記スリットによってのみ露出された請求項１または４に記載の電子機器。
【請求項６】
前記整合部は、第１の部材と、前記第１の部材との間に前記スリットを形成する第２の部材と、前記第１の部材と前記第２の部材とを連結する連結部と、を有した請求項１または２に記載の電子機器。
【請求項７】
前記スピーカを収容し、外部に開口する出力口を有した筐体と、
前記筐体の内部に設けられ、前記出力口に接続された第１の端部と、前記整合部が配置された第２の端部と、を有した音道部と、
をさらに具備し、
前記開口部は、前記音道部が延びる方向と直交する方向に向き、
前記スリットが前記音道部に開口した請求項１または２に記載の電子機器。
【請求項８】
前記音道部の前記第１の端部が前記出力口に向かってホーン状に拡張した請求項７に記載の電子機器。
【請求項９】
音声を出力する出力部と、前記出力部を露出させる開口部と、を有するスピーカに、前記開口部を塞ぐとともに、前記出力部を部分的に露出させるスリットを有した整合部を取り付け、前記スリットを通して前記出力部から音声を出力させる音質改善方法。
【請求項１０】
音声を出力する出力部と、前記出力部を露出させる開口部と、を有するスピーカに取り付けられる音質改善部材であって、
前記開口部を塞ぐとともに、前記出力部を部分的に露出させるスリットを有した整合部を具備した音質改善部材。
【発明の詳細な説明】
【技術分野】
【０００１】
本発明の実施形態は、電子機器、音質改善方法および音質改善部材に関する。
【背景技術】
【０００２】
ポータブルコンピュータ、タブレット、スマートフォン、および携帯音楽プレーヤのような電子機器は、小型化および部品の高密度化が求められる傾向にある。これら電子機器には、小口径のスピーカが用いられる。
【先行技術文献】
【特許文献】
【０００３】
【特許文献１】特開平４−３２６６９８号公報
【発明の概要】
【発明が解決しようとする課題】
【０００４】
上記電子機器において、スピーカの音質を改善するために種々の方法によってインピーダンスマッチングが行われる。例えば、スピーカの前面を板材で覆い、当該板材に音声が出力される複数の孔が設けられる。しかし、スピーカが出力した低音域の音声を良好に再生するためには、未だ改良の余地がある。
【０００５】
本発明の目的は、スピーカが出力した低音域の音声を良好に再生できる電子機器、音質改善方法および音質改善部材を提供することにある。
【課題を解決するための手段】
【０００６】
一つの実施の形態に係る電子機器は、スピーカと、整合部とを備える。前記スピーカは、音声を出力する出力部と、前記出力部を露出させる開口部と、を有する。前記整合部は、前記開口部を塞ぐとともに、前記出力部を部分的に露出させるスリットを有する。
【図面の簡単な説明】
【０００７】
【図１】第１の実施の形態に係るポータブルコンピュータを示す斜視図。
【図２】第１の実施形態の整合部を示す斜視図。
【図３】第１の実施形態の整合部を示す断面図。
【図４】第２の実施の形態に係る整合部を示す斜視図。
【図５】第３の実施の形態に係る整合部を示す斜視図。
【図６】第４の実施の形態に係るスピーカユニットを示す斜視図。
【図７】第４の実施形態の整合部およびスピーカを示す斜視図。
【図８】第４の実施形態と従来技術との音声出力の特性を比較するグラフ。
【図９】第５の実施の形態に係るタブレットを示す斜視図。
【図１０】第５の実施形態のタブレットの一部を示す断面図。
【図１１】第５の実施形態のタブレットの一部を図１０のＦ１１−Ｆ１１線に沿って示す断面図。
【図１２】第６の実施の形態に係る整合部およびスピーカを分解して示す斜視図。
【発明を実施するための形態】
【０００８】
以下に、第１の実施の形態について、図１から図３を参照して説明する。なお、本明細書において、手前側（即ちユーザ側）を前方、ユーザから見て遠い側を後方、ユーザから見て左側を左方、ユーザから見て右側を右方、ユーザから見て上方を上方、ユーザから見て下方を下方と定義する。さらに、複数の表現が可能な各要素について一つ以上の他の表現の例を付すことがあるが、これは他の表現が付されていない要素について異なる表現がされることを否定するものではないし、例示されていない他の表現がされることを制限するものでもない。
【０００９】
図１は、第１の実施の形態に係るポータブルコンピュータ１を示す斜視図である。ポータブルコンピュータ１は、電子機器の一例である。図１に示すように、ポータブルコンピュータ１は、メインユニット１１と、ディスプレイユニット１２とを備えている。
【００１０】
メインユニット１１は、メイン筐体１５を有している。メイン筐体１５は、筐体の一例であるとともに、音質改善部材の一例である。メイン筐体１５は、例えば樹脂によって形成される。なお、メイン筐体１５はこれに限らず、吸音を行わない硬質な他の材料によって形成されても良い。
【００１１】
メイン筐体１５の上面１５ａに、タッチパッド１７およびキーボード１８が設けられている。図１において、キーボード１８の複数のキーが省略されている。メインユニット１１は、マザーボード、ハードディスクドライブ（ＨＤＤ）、光ディスクドライブ（ＯＤＤ）、およびバッテリのような、種々の部品を有している。
【００１２】
ディスプレイユニット１２は、ディスプレイ筐体２１と、ディスプレイモジュール２２とを有している。ディスプレイモジュール２２は、例えば液晶ディスプレイである。なお、ディスプレイモジュール２２はこれに限らず、有機ＥＬディスプレイのような他のディスプレイであっても良い。ディスプレイ筐体２１は、ディスプレイモジュール２２を収容している。
【００１３】
ディスプレイ筐体２１は、矩形のディスプレイ開口２３を有している。ディスプレイ開口２３は、ディスプレイ筐体２１の前面に設けられている。ディスプレイモジュール２２の画像を表示する面が、ディスプレイ開口２３から露出されている。
【００１４】
ディスプレイユニット１２の端部は、メインユニット１１の後端部に、ヒンジによって回動可能に連結されている。ディスプレイユニット１２は、メインユニット１１の上に重ねられた閉位置と、図１に示すようなメインユニット１１の後端部から起立した開位置と、の間で回動する。
【００１５】
メインユニット１１のメイン筐体１５に、一対の整合部２５が設けられている。整合部２５は、例えば壁部、板部、バッフルのような、種々の表現がされ得る。整合部２５は、メイン筐体１５の一部であり、メイン筐体１５の上面１５ａの一部を形成する。
【００１６】
図２は、整合部２５を示す斜視図である。図３は、整合部２５を示す断面図である。図２に示すように、それぞれの整合部２５は、一つのスリット２６を有している。本明細書においてスリットとは、長手寸法と短手寸法とを有する孔、および複数のこのような孔が合体して形成された孔である。スリット２６は、例えば開口部、長孔、隙間、細隙、溝、凹部、切欠きのような、種々の表現がされ得る。
【００１７】
スリット２６は、平行に延びる一対の側縁２６ａと、一対の端縁２６ｂとを有している。端縁２６ｂは、一方の側縁２６ａの端部と他方の側縁２６ａの端部との間に亘って設けられている。端縁２６ｂは、円弧状に形成されているが、例えば一つ以上の直線状の部分によって形成されても良い。スリット２６の一対の側縁２６ａは、メインユニット１１の前後方向に延びている。
【００１８】
一対の側縁２６ａの間の距離は、例えば０．５〜３［ｍｍ］である。一対の端縁２６ｂの間の距離は、例えば１０〜３０［ｍｍ］である。言い換えると、スリット２６の長手寸法は１０〜３０［ｍｍ］であり、短手寸法は０．５〜３［ｍｍ］である。なお、スリット２６の長手寸法および短手寸法はこれに限らない。
【００１９】
図２に示すように、メイン筐体１５に、一対のスピーカ３０が収容されている。スピーカ３０は、部品、音声出力部、音響出力装置のような種々の表現がされても良い。一対のスピーカ３０は、一対の整合部２５に対応した位置に配置されている。
【００２０】
スピーカ３０は、振動板３１と、周縁部３２とを有している。振動板３１は、出力部の一例である。振動板３１は、例えば振動部、音声出力部、音声発生部のような種々の表現がされても良い。
【００２１】
振動板３１は、略円形に形成されている。振動板３１は、スピーカ３０に設けられたボイスコイルのような種々の部品によって振動する。振動板３１によって空気が振動することで、音声が出力される。
【００２２】
振動板３１の直径は、例えば１０〜３０［ｍｍ］である。なお、振動板３１の直径はこれに限らず、前記範囲より大きくても小さくても良い。スリット２６の長手寸法および面積は、振動板３１の直径および面積に応じて決められる。
【００２３】
周縁部３２は、振動板３１を囲む略円形の枠状に形成されている。周縁部３２は、開口部３３を有している。振動板３１は、開口部３３の内部において、振動可能に周縁部３２に支持されている。振動板３１は、開口部３３から露出している。
【００２４】
図３に示すように、開口部３３が開口する周縁部３２の前端部は、整合部２５の内面２５ｂに当接している。なお、整合部２５の内面２５ｂは、メイン筐体１５の内面の一部を形成する。
【００２５】
周縁部３２は、例えばメイン筐体１５の内部に設けられた部品または接着剤によって、内面２５ｂに固定されている。周縁部３２が内面２５ａに当接しているため、整合部２５は、スピーカ３０の開口部３３を塞いでいる。振動板３１は、振動可能に内面２５ｂから離間している。
【００２６】
図２に示すように、スリット２６は、振動板３１を部分的に露出させる。詳しく述べると、スリット２６は、振動板３１の中央部の上を通って延びている。スリット２６の長手寸法は、振動板３１の直径以下である。このため、スリット２６の面積は、振動板３１の面積よりも小さい。スリット２６がこのように配置および設計されることで、振動板３１の一部が、スリット２６から露出される。振動板３１は、ただ一つのスリット２６によってのみ露出され、例えば他の孔などによっては露出されない。なお、スリット２６の長手寸法が、振動板３１の直径より長くても良い。
【００２７】
図３の矢印に示すように、スピーカ３０が音声を出力すると、当該音声はスリット２６を通ってポータブルコンピュータ１の外部に出力される。この音声は、スリット２６においてインピーダンスマッチングがなされる。言い換えると、スリット２６は、空気とスピーカ３０とのインピーダンスマッチングを行う。これにより、低音域での空振り現象が抑制され、スピーカ３０が出力した音声の再生周波数の下限までの再生がなされる。
【００２８】
第１の実施形態のポータブルコンピュータ１によれば、スピーカ３０の開口部３３を塞ぐ整合部２５に、スリット２６が設けられている。これにより、スリット２６によって、空気とスピーカ３０とのインピーダンスマッチングが行われる。したがって、スピーカ３０が出力した低音域の音声を良好に再生できる。すなわち、良好な周波数特性、およびスピーカ３０の良好な動特性を得ることができ、良好な音質を得ることができる。当該インピーダンスマッチングは、スピーカ３０から離間して配置される複数の孔が設けられた板材や、スピーカ３０の後部を覆うエンクロージャが不要であるため、ポータブルコンピュータ１の設計に制約を加えたりポータブルコンピュータ１のコストを増加させたりすることを抑制できる。
【００２９】
空気とスピーカ３０とのインピーダンスマッチングは、スリット２６によって行われる。これにより、例えば複数の孔を設けた場合に比べて、スピーカ３０の音声を出力させる部分が目立たなくなり、ポータブルコンピュータ１の美観を向上させられる。
【００３０】
整合部２５が、メイン筐体１５に設けられている。これにより、メイン筐体１５と別個の整合部が不要になる。したがって、低音域の音質を改善する整合部２５を設けたとしても、ポータブルコンピュータ１の製造コストの増加を抑制できる。さらに、ポータブルコンピュータ１内部の部品密度の増加を抑制でき、ポータブルコンピュータ１の小型化および薄型化に寄与する。
【００３１】
スピーカ３０の振動板３１は、ただ一つのスリット２６によってのみ露出されている。これにより、インピーダンスマッチングが効率良く行われ、低音域の音質がより良く改善される。
【００３２】
次に、図４を参照して、第２の実施の形態について説明する。なお、以下に開示する少なくとも一つの実施形態において、第１の実施形態のポータブルコンピュータ１と同一の機能を有する構成部分には同一の参照符号を付す。さらに、当該構成部分については、その説明を一部または全て省略することがある。
【００３３】
図４は、第２の実施の形態に係る整合部２５を示す斜視図である。図４に示すように、第２の実施形態のスリット２６は、十字状に形成されている。すなわち、スリット２６は、長手寸法と短手寸法とを有する複数の孔が合体して形成された孔である。
【００３４】
このような第２の実施形態においても、第１の実施形態と同様に、スリット２６によって、空気とスピーカ３０とのインピーダンスマッチングが行われる。したがって、スピーカ３０が出力した低音域の音声を良好に再生できる。
【００３５】
次に、図５を参照して、第３の実施の形態について説明する。図５は、第３の実施の形態に係る整合部２５を示す斜視図である。図５に示すように、第３の実施形態のスリット２６は、曲線状に形成されている。
【００３６】
このような第３の実施形態においても、第１の実施形態と同様に、スリット２６によって、空気とスピーカ３０とのインピーダンスマッチングが行われる。したがって、スピーカ３０が出力した低音域の音声を良好に再生できる。
【００３７】
次に、図６ないし図８を参照して、第４の実施の形態について説明する。図６は、第４の実施の形態に係るスピーカユニット４０を示す斜視図である。図６に示すように、スピーカユニット４０は、電子機器の一例であり、例えばポータブルコンピュータ、タブレット、スマートフォン、および携帯音楽プレーヤに接続される、いわゆる外付けスピーカである。
【００３８】
スピーカユニット４０は、整合部２５と、スピーカ３０と、スピーカ筐体４１と、接続部４２とを備えている。スピーカ筐体４１は、箱状に形成されており、整合部２５とスピーカ３０とを収容している。スピーカ筐体４１に、矩形状の前面開口４４が設けられている。
【００３９】
接続部４２は、例えばイヤホンジャックに接続されるためのケーブルおよびプラグである。接続部４２のケーブルは、スピーカ筐体４１の上面から延びている。接続部４２のケーブルの端部に、イヤホンジャックに挿入されるプラグが設けられている。なお、接続部４２はこれに限らず、ＵＳＢコネクタのような他の接続部分であっても良い。
【００４０】
図７は、第４の実施形態の整合部２５およびスピーカ３０を示す斜視図である。図７に示すように、第４の実施形態の整合部２５は、スピーカ筐体４１から独立した部品である。第４の実施形態において、整合部２５は、音質改善部材の一例である。
【００４１】
整合部２５は、例えば樹脂によって形成される。なお、整合部２５はこれに限らず、吸音を行わない硬質な他の材料によって形成されても良い。整合部２５は、第１の部材４６と、第２の部材４７と、一対のスリットストッパ４８とを有している。スリットストッパ４８は、連結部の一例である。
【００４２】
第１の部材４６および第２の部材４７は、それぞれ略三角柱状に形成されている。第１の部材４６と第２の部材４７とは、スリット２６を介して並んで配置されている。言い換えると、第１の部材４６は、第２の部材４７との間にスリット２６を形成している。
【００４３】
第１および第２の部材４６，４７は、整合部２５の内面２５ｂを形成している。第１および第２の部材４６，４７は、それぞれホーン面５１を有している。ホーン面５１は、内面２５ｂの反対側に位置している。
【００４４】
ホーン面５１は、スリット２６の側縁２６ａにそれぞれ接続されている。第１の部材４６のホーン面５１は、整合部２５の内面２５ｂに対して傾斜している。第１の部材４６のホーン面５１は、第２の部材４７から遠ざかるに従って、内面２５ｂから遠ざかる曲面である。
【００４５】
第２の部材４７のホーン面５１は、整合部２５の内面２５ｂに対して傾斜している。第２の部材４７のホーン面５１は、第１の部材４６から遠ざかるに従って、整合部２５の内面２５ｂから遠ざかる曲面である。なお、ホーン面５１は、平面であっても良い。
【００４６】
第１および第２の部材４６，４７に設けられた一対のホーン面５１によって、ホーン部５２が形成される。ホーン部５２は、いわゆるショートホーンである。ホーン部５２はスリット２６に接続されている。言い換えると、スリット２６から連続する音の通り道が、ホーン状に形成されている。
【００４７】
一方のスリットストッパ４８は、第１の部材４６の上端と第２の部材４７の上端とを連結する。他方のスリットストッパ４８は、第１の部材４６の下端と第２の部材４７の下端とを連結する。すなわち、スリットストッパ４８は、第１の部材４６と第２の部材４７とを連結する。スリットストッパ４８はスリット２６の端縁４６ｂを形成する。
【００４８】
スリットストッパ４８は、例えば第１および第２の部材４６，４７にそれぞれ設けられた溝に嵌め込まれることで、第１および第２の部材４６，４７に固定される。なお、これに限らず、スリットストッパ４８は、例えば接着剤によって第１および第２の部材４６，４７に固定されても良い。
【００４９】
図８は、第４の実施形態と従来技術との音声出力の特性を比較するグラフである。図８のグラフにおいて、縦軸は音圧を表し、横軸は周波数を表している。図８のグラフにおいて実線で表されるグラフＧ１が第４の実施形態の音声出力であり、破線で表されるグラフＧ２が従来技術の音声出力である。従来技術の音声出力は、スピーカの振動板から離れた位置に複数の円形の孔が設けられた板材を配置し、当該複数の孔を通って出力された音声について計測したものである。
【００５０】
図８に示すように、第４の実施形態の音声出力Ｇ１は、周波数が低い範囲において、従来技術の音声出力Ｇ２よりも音圧が高くなる。すなわち、第４の実施形態のスピーカユニット４０は、スピーカ３０が出力した低音域の音声を良好に再生できる。
【００５１】
なお、図８に示すように、第４の実施形態の音声出力Ｇ１が従来技術の音声出力Ｇ２よりも音圧が高くなるのは、低音域に限らない。横軸の中心から少し右側の領域に亘って、第４の実施形態の音声出力Ｇ１は従来技術の音声出力Ｇ２よりも音圧が高くなる。
【００５２】
第４の実施形態のスピーカユニット４０によれば、整合部２５が、スリット２６に接続されたホーン部５２を有している。ホーン部５２によって、スリット２６を通って出力される音声が拡声される。これにより、小口径のスピーカであっても大きな音量を得ることができる。
【００５３】
スリットストッパ４８によって、第１の部材４６と第２の部材４７とが連結されている。これにより、例えばスリットストッパ４８を交換することで、スリット２６の幅を変更することができる。したがって、スリット２６の幅が異なる複数種類の整合部２５を用意するような場合であっても、材料費の増加を抑制できる。
【００５４】
次に、図９ないし図１１を参照して、第５の実施の形態について説明する。図９は、第５の実施の形態に係るタブレット６０を示す斜視図である。タブレット６０は、電子機器の一例である。
【００５５】
図９に示すように、タブレット６０は、ディスプレイモジュール２２と、タブレット筐体６１とを有している。タブレット筐体６１は、筐体の一例である。タブレット筐体６１は、フロントカバー６２と、リアカバー６３とを有している。
【００５６】
フロントカバー６２は、リアカバー６３に固定されている。フロントカバー６２は、矩形の透光部６５を有している。透光部６５は、例えば透明な領域であり、ディスプレイモジュール２２の画像を表示する面を露出させる。
【００５７】
タブレット筐体６１に、一対の出力口７１が設けられている。出力口７１は、タブレット筐体６１の側面に配置され、外部に開口する孔である。なお、出力口７１はこれに限らず、タブレット筐体６１の他の場所に配置されても良い。
【００５８】
出力口７１は、リアカバー６３の縁部に設けられた凹部と、フロントカバー６２の縁部とによって形成される。なお、出力口７１は、例えばリアカバー６３に設けられた孔であっても良い。
【００５９】
図１０は、出力口７１の周辺におけるタブレット６０の一部を示す断面図である。図１１は、図１０のＦ１１−Ｆ１１線に沿ってタブレット６０の一部を示す断面図である。図１０に示すように、タブレット筐体６１に、一対のスピーカ３０と、一対の音道部７３とが収容されている。言い換えると、スピーカ３０および音道部７３は、タブレット筐体６１の内部に設けられている。一対のスピーカ３０および一対の音道部７３は、一対の出力口７１に対応して配置されている。
【００６０】
音道部７３は、フロントカバー６２またはリアカバー６３に固定される樹脂製の部品である。音道部７３は、第１の端部７４と、第２の端部７５と、導管部７６とを有している。第１の端部７４は、出力口７１に接続されている。第２の端部７５は、半円形の枠状に形成されている。導管部７６は、第１の端部７４と第２の端部７５との間に設けられている。
【００６１】
図１１に示すように、導管部７６の上端は、フロントカバー６２の内面６２ａに当接している。言い換えると、導管部７６は、フロントカバー６２によって覆われている。これにより、導管部７６は、管状の音の通り道を形成する。図１０に示すように、導管部７６の幅は、第２の端部７５から第１の端部７４に向かうに従って広くなる。
【００６２】
図１１に示すように、第２の端部７５に、凹部７８が設けられている。凹部７８は、音道部７３の厚み方向に窪んでいる。凹部７８に、スピーカ３０が嵌め込まれている。
【００６３】
スピーカ３０の開口部３３は、導管部７６が延びる方向と直交する方向に向いている。開口部３３が開口するスピーカ３０の周縁部３２の端部は、導管部７６の底面７６ａと略同一平面を形成する。
【００６４】
第２の端部７５に、整合部２５が嵌め込まれている。言い換えると、第２の端部７５に、整合部２５が配置されている。第５の実施形態の整合部２５は、タブレット筐体６１から独立した部品である。
【００６５】
整合部２５は、略円形の板状に形成され、スピーカ３０を覆っている。整合部２５は、スピーカ３０とフロントカバー６２の内面６２ａとによって挟持されている。整合部２５は、例えば接着剤によってスピーカ３０またはフロントカバー６２に固定されても良い。また、整合部２５は、整合部２５の回転を規制する部分を有しても良い。
【００６６】
図１０に示すように、スリット２６の一方の端部が、導管部７６に開口している。言い換えると、スリット２６は、導管部７６に開口する切欠き状に形成されている。導管部７６に開口するスリット２６の端部は、出力口７１に向いている。
【００６７】
図１１に示すように、スピーカ３０が出力した音声は、スリット２６の開口した部分から、導管部７６に出力される。言い換えると、スリット２６は、インピーダンスマッチングを行うとともに、音声の通り道となる。当該音声は、第１の端部７４、および出力口７１を通って、タブレット６０の外部に出力される。
【００６８】
第１の端部７４に、拡張部７９が形成されている。拡張部７９は、出力口７１に向かってホーン状に拡張した部分である。言い換えると、拡張部７９は、導管部７６が形成した管状の音の通り道の断面積を、出力口７１に向かうに従って拡張する部分である。
【００６９】
第５の実施の形態によれば、スピーカ３０の開口部３３が音道部７３の延びる方向と直交する方向に向くとともに、スリット２６が音道部７３に開口する。スリット２６が音声の通り道を兼ねることで、音圧の損失を抑制してスピーカ３０の向きと直交する方向に音声が出力される。このように、スリット２６が音道部７３に開口することにより、音道部７３を用いたとしてもスピーカ３０が出力した低音域の音声を良好に再生できる。
【００７０】
音道部７３の第１の端部７４の拡張部７９は、出力口７１に向かってホーン状に拡張している。拡張部７９がホーン状に拡張することで、スピーカ３０が出力した音声の拡声を行うことができる。
【００７１】
次に、図１２を参照して、第６の実施の形態について説明する。図１２は、第６の実施の形態に係る整合部２５およびスピーカ３０を分解して示す斜視図である。第６の実施形態のスピーカ３０は、ポータブルコンピュータ、タブレット、スマートフォン、携帯音楽プレーヤ、および外付けスピーカのような種々の電子機器に用いられる。
【００７２】
スピーカ３０は、振動板３１と、周縁部３２とを有している。振動板３１および周縁部３２は、矩形状に形成されている。スピーカ３０の振動板３１および周縁部３２は、第１の実施形態の円形や、第６の実施形態の矩形に限らず、楕円のような他の形状であっても良い。
【００７３】
第６の実施形態において、整合部２５は、音質改善部材の一例である。整合部２５は、第１の部材８１と、第２の部材８２とを有している。第１および第２の部材８１，８２は、それぞれ板状に形成されている。第１および第２の部材８１，８２は、スピーカ３０の開口部３３に嵌め込まれている。第１および第２の部材８１，８２は、例えば接着剤によって、周縁部３２に固定されている。
【００７４】
第１および第２の部材８１，８２は、隙間を介して配置されている。これにより、第１の部材８１は、第２の部材８２との間にスリット２６を形成している。なお、第１および第２の部材８１，８２にそれぞれ傾斜面を設けることで、第１および第２の部分８１，８２がホーン状の部分をさらに形成しても良い。
【００７５】
このような第２の実施形態においても、第１の実施形態と同様に、スリット２６によって、空気とスピーカ３０とのインピーダンスマッチングが行われる。したがって、スピーカ３０が出力した低音域の音声を良好に再生できる。
【００７６】
以上述べた少なくとも一つの電子機器によれば、整合部がスピーカの開口部を塞ぐとともに、前記スピーカの出力部を部分的に露出させるスリットを有する。前記スリットにより空気と前記スピーカとのインピーダンスマッチングが行われ、前記スピーカが出力した低音域の音声を良好に再生できる。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７８】
例えば、整合部２５において、一つのスピーカ３０に対応する複数のスリット２６が設けられても良い。スピーカ３０から出力された音声は、複数のスリット２６によってインピーダンスマッチングが行われる。
【符号の説明】
【００７９】
１…ポータブルコンピュータ、１５…メイン筐体、２５…整合部、２６…スリット、３０…スピーカ、３１…振動板、３３…開口部、４０…スピーカユニット、４１…スピーカ筐体、４６…第１の部材、４７…第２の部材、４８…スリットストッパ、５２…ホーン部、６０…タブレット、６１…タブレット筐体、７１…出力口、７３…音道部、７４…第１の端部、７５…第２の端部。
【図１】
2014035640.tif 000003
【図２】
2014035640.tif 000004
【図３】
2014035640.tif 000005
【図４】
2014035640.tif 000006
【図５】
2014035640.tif 000007
【図６】
2014035640.tif 000008
【図７】
2014035640.tif 000009
【図８】
2014035640.tif 000010
【図９】
2014035640.tif 000011
【図１０】
2014035640.tif 000012
【図１１】
2014035640.tif 000013
【図１２】
2014035640.tif 000014